(57)【要約】【課題】低コスト化及び簡素化を図った上で、大掛かりな取り付け作業を伴うことなく、防塵防水性能を発揮できるグロメットを提供する。【解決手段】ベースユニット１の貫通孔４４に固定される第１リング部３１と、第１リング部３１の開口部を閉塞し、かつ弾性変形することでベースユニット１と電子機器とを接続するケーブル４が挿通可能な第１膜部材３２と、を備えたグロメット１０において、第１膜部材３２のうち、第１リング部３１の裏面は、外周側から内周側に向かうに従い第１リング部３１の軸方向に沿う他方側に向けて傾斜する傾斜面３２ａを有していることを特徴とする。【選択図】図５
2014143889.tif 000002
【特許請求の範囲】
【請求項１】
第１電子機器の貫通孔に固定される第１リング部と、
前記第１リング部の開口部を閉塞し、かつ弾性変形することで前記第１電子機器と第２電子機器とを接続するケーブルが挿通可能な第１膜部材と、を備えたグロメットにおいて、
前記第１膜部材のうち、前記第１リング部の軸方向に沿う一方側に位置する面は、外周側から内周側に向かうに従い前記第１リング部の軸方向に沿う他方側に向けて傾斜する傾斜面を有していることを特徴とするグロメット。
【請求項２】
前記傾斜面は、前記第１膜部材の外周側において、前記第１リング部との接続部分に位置していることを特徴とする請求項１記載のグロメット。
【請求項３】
前記第１膜部材において、前記第１リング部の軸方向に沿う他方側に位置する面は、外周側から内周側に向かうに従い前記第１リング部の軸方向に沿う他方側に向けて傾斜する傾斜面を有していることを特徴とする請求項１記載のグロメット。
【請求項４】
前記第１リング部の軸方向に沿う一方側から前記第１リング部に当接する第２リング部と、
前記第２リング部の開口部を閉塞し、かつ前記ケーブルが挿通可能とされる第２膜部材と、を備えていることを特徴とする請求項１から請求項３の何れか１項に記載のグロメット。
【請求項５】
前記第１リング部及び前記第２リング部は、周方向の一部が分断されて前記第１膜部材及び前記第２膜部材にそれぞれ連通する第１分断部及び第２分断部を備え、
前記第１分断部及び前記第２分断部は、前記第１リング部及び前記第２リング部間において周方向の異なる位置に形成されていることを特徴とする請求項４記載のグロメット。
【請求項６】
前記第１リング部は、周方向の一部が分断されて前記第１膜部材に連通する第１分断部を備えていることを特徴とする請求項１から請求項３の何れか１項に記載のグロメット。
【発明の詳細な説明】
【技術分野】
【０００１】
本発明は、グロメットに関するものである。
【背景技術】
【０００２】
ケーブルを介して各種電子機器（電源や周辺機器）間を接続する際、電子機器の筐体に形成された貫通孔を通してケーブルを電子機器の内外に引き回す場合がある。このような場合、ケーブルと筐体における貫通孔の内周縁との干渉を抑制し、ケーブルを保護するためにグロメットが用いられている。
【０００３】
この種のグロメットとしては、いわゆる貫通グロメットと膜付きグロメットに大別することができる。
貫通グロメットは、ケーブルの保護のみを目的とするものであり、筐体の貫通孔に固定されるリング部を備え、このリング部の内側にケーブルが配置されることで、ケーブルと貫通孔の内周縁との干渉を抑制している。
【０００４】
これに対して、膜付きグロメットは、ケーブルの保護に加え、防塵防水機能を目的としており、リング部と、リング部の開口部を閉塞し、かつケーブルが挿通可能な膜部材と、を備えている（例えば、特許文献１参照）。膜付きグロメットでは、ケーブルとリング部との間が膜部材により覆われることで、ケーブルとリング部との間の隙間を通って塵埃や液体等が電子機器内に進入するのを抑制できるとされている。
【先行技術文献】
【特許文献】
【０００５】
【特許文献１】特開平８−１９１５２８号公報
【特許文献２】特開平７−１３７０５２号公報
【発明の概要】
【発明が解決しようとする課題】
【０００６】
しかしながら、上述した従来技術にあっては、グロメットの内側にケーブルが配置されると、膜部材が弾性変形して電子機器の内側に向けて倒れ込むことがある。この場合、膜部材における電子機器に対して外側に位置する面を伝って、塵埃や液体が電子機器に案内され易くなり、所望の防塵防水性能を発揮できない虞がある。
【０００７】
これに対して、例えば特許文献２に示されるように、グロメットとケーブルとの隙間に充填材を充填する構成も知られている。
しかしながら、上述した特許文献２の構成にあっては、取り付け作業が大掛かりとなるため、電子機器の設置後にグロメットを取り付ける等の対応が難しく、また使用する電子機器によっては防塵防水性能を高く要求しない場合があり、過剰品質やコスト増となる可能性がある。
【０００８】
そこで本発明は、低コスト化及び簡素化を図った上で、大掛かりな取り付け作業を伴うことなく、防塵防水性能を発揮できるグロメットの提供を目的とする。
【課題を解決するための手段】
【０００９】
上述した課題を解決するため、本発明のグロメットは、第１電子機器の貫通孔に固定される第１リング部と、前記第１リング部の開口部を閉塞し、かつ弾性変形することで前記第１電子機器と第２電子機器とを接続するケーブルが挿通可能な第１膜部材と、を備えたグロメットにおいて、前記第１膜部材のうち、前記第１リング部の軸方向に沿う一方側に位置する面は、外周側から内周側に向かうに従い前記第１リング部の軸方向に沿う他方側に向けて傾斜する傾斜面を有していることを特徴としている。
【００１０】
この構成によれば、グロメットにケーブルを装着する際に、第１膜部材における第１リング部の軸方向の一方側への弾性変形を規制し、第１膜部材を第１リング部の軸方向の他方側への撓み変形させ易くすることができる。そして、第１リング部の軸方向に沿う他方側を第１電子機器の外側に向けた状態で、グロメットを第１電子機器の貫通孔に固定することで、第１膜部材が第１電子機器の外側へ倒れ込んだ状態になるので、第１膜部材とケーブルとの隙間を通って第１電子機器内に塵埃や液体等が進入し難くなり、防塵防水性能を発揮させることができる。
しかも、従来の膜付きグロメットのように、ケーブルに装着するのみで組み付けることができるので、組み付け時に大掛かりな作業を伴うことがない。
その結果、低コスト化及び簡素化を図った上で、要求に応じた所望の防塵防水性能を発揮させることができる。
【００１１】
また、前記傾斜面は、前記第１膜部材の外周側において、前記第１リング部との接続部分に位置していてもよい。
この構成によれば、第１膜部材と第１リング部との接続部分、すなわち第１膜部材の根元部分に傾斜面が位置しているため、第１膜部材における第１リング部の軸方向の一方側への弾性変形を確実に規制することができる。
【００１２】
また、前記第１膜部材において、前記第１リング部の軸方向に沿う他方側に位置する面は、外周側から内周側に向かうに従い前記第１リング部の軸方向に沿う他方側に向けて傾斜する傾斜面を有していてもよい。
この構成によれば、第１膜部材全体が軸方向の他方側に向けて傾斜するため、第１膜部材における第１リング部の軸方向の一方側への弾性変形を確実に規制することができる。
【００１３】
また、前記第１リング部の軸方向に沿う一方側から前記第１リング部に当接する第２リング部と、前記第２リング部の開口部を閉塞し、かつ前記ケーブルが挿通可能とされる第２膜部材と、を備えていてもよい。
この構成によれば、第１リング部の軸方向に沿う両側が第１膜部材と第２膜部材によりそれぞれ閉塞されることになるので、ケーブルと膜部材の隙間から塵埃や液体が進入するのを確実に抑制できる。
【００１４】
また、前記第１リング部及び前記第２リング部は、周方向の一部が分断されて前記第１膜部材及び前記第２膜部材にそれぞれ連通する第１分断部及び第２分断部を備え、前記第１分断部及び前記第２分断部は、前記第１リング部及び前記第２リング部間において周方向の異なる位置に形成されていてもよい。
この構成によれば、第１分断部及び第２分断部が第１リング部及び第２リング部間において周方向の異なる位置に形成されているため、各分断部を通ってケーブルが抜けるのを抑制できる。
また、前記第１リング部は、周方向の一部が分断されて前記第１膜部材に連通する第１分断部を備えていてもよい。
【発明の効果】
【００１５】
本発明のグロメットによれば、低コスト化及び簡素化を図った上で、大掛かりな取り付け作業を伴うことなく、防塵防水性能を発揮できる。
【図面の簡単な説明】
【００１６】
【図１】ベースユニットの斜視図である。
【図２】ベースユニットの分解斜視図である。
【図３】Ａ−Ａ線に沿う断面図である。
【図４】グロメットの拡大断面図である。
【図５】図３に相当する断面図であり、ケーブルにグロメットが装着された状態を示している。
【図６】図３に相当する断面図であって、第２実施形態のグロメットがケーブルに組み付けられた状態を示している。
【図７】グロメットの展開図である。
【図８】第２実施形態の変形例を示すグロメットの展開図である。
【図９】グロメットの変形例を示す拡大断面図である。
【図１０】グロメットの変形例を示す拡大断面図である。
【発明を実施するための形態】
【００１７】
次に、本発明の実施形態を図面に基づいて説明する。以下の説明では、タクシー等に搭載された決済端末システムにおいて、図示しない複数の電子機器（第２電子機器）が接続されるベースユニット（第１電子機器）１にグロメット１０を取り付けた構成について説明する。
【００１８】
（第１実施形態）
図１は、ベースユニット１の斜視図である。
図１に示すベースユニット１は、平面視長方形状の箱型とされ、その内側にコネクタ２やＩＣチップ（不図示）等が実装された回路基板３が収容されている。そして、ベースユニット１には、例えばタクシーメータや決済用ピンパッド、非接触ＩＣカードリーダ、電源等の図示しない複数の電子機器がケーブル４を介して接続される。これにより、ベースユニット１を介して電源から供給される電力を各種電子機器に供給したり、各電子機器間で通信を行ったりするようになっている。
【００１９】
ベースユニット１は、ベース本体１１及び蓋部材１２により分割構成されている。なお、以下の説明では、ベースユニット１の長手方向を単に長手方向Ｌ１、短手方向を単に短手方向Ｌ２、厚さ方向を上下方向Ｌ３といい、上下方向Ｌ３に沿うベース本体１１側を下側、蓋部材１２側を上側として説明する。
【００２０】
ベース本体１１は、底壁部１３、及び底壁部１３の外周縁から立設された周壁部１４を備えている。
底壁部１３には、上述した回路基板３が固定され、この回路基板３上に上述した複数のコネクタ２が長手方向Ｌ１に沿って並設されている（図１では一部のみ図示）。
【００２１】
周壁部１４のうち、ベース本体１１の短手方向Ｌ２に沿って延びる短手側壁１４ａには、それぞれ取付脚部１５が形成されている。取付脚部１５は、各短手側壁１４ａにおける短手方向Ｌ２の両端部から長手方向Ｌ１に沿う外側に向けてそれぞれ突設され、これら取付脚部１５を介してベースユニット１が車室内に固定されるようになっている。また、周壁部１４のうち、ベース本体１１の長手方向Ｌ１に沿って延びる長手側壁１４ｂには、上端縁から下方に向けて切り欠かれた半円状の切欠き部１６が、長手方向Ｌ１に間隔をあけて複数形成されている。これら切欠き部１６は、上述した各コネクタ２と長手方向Ｌ１に沿う位置が同等になるように形成されている。
【００２２】
図２はベースユニット１の分解斜視図である。
図１、図２に示すように、ベース本体１１内において、長手側壁１４ｂと回路基板３との間には、グロメット１０が装着される板金２１が配設されている。板金２１は、長手方向Ｌ１に沿って延在しており、ベース本体１１に形成された図示しない保持部によって保持されている。
【００２３】
板金２１には、上端縁から下方に向けて切り欠かれたＵ字状のグロメット収容部２２が長手方向Ｌ１に間隔をあけて複数形成されている。これらグロメット収容部２２は、上述した切欠き部１６と長手方向Ｌ１に沿う位置が同等になるように形成されている。また、各グロメット収容部２２の内面において、長手方向Ｌ１で対向する部分には、各グロメット収容部２２の内側に向けて突出する一対の係止突起２３が形成されている。なお、板金２１のうち、グロメット収容部２２の下端に位置する部分には、グロメット１０の周方向の位置決めを行う位置決め部２４が形成されている。
【００２４】
（グロメット）
図３はＡ−Ａ線に沿う断面図である。
ここで、図１〜図３に示すように、各グロメット収容部２２内には、それぞれグロメット１０が各別に収容されている。
本実施形態のグロメット１０は、ゴムやエラストマ、プラスチック等の弾性変形可能な材料により一体形成されており、第１リング部３１と、第１リング部３１の開口部を閉塞し、かつ弾性変形することでベースユニット１と各種電子機器とを接続するケーブル４が挿通可能な第１膜部材３２と、を備えている。なお、以下の説明では、第１リング部３１の中心軸線に沿う方向（開口方向）を単に軸方向といい、軸方向に直交する方向を径方向、中心軸線回りに周回する方向を周方向という。
【００２５】
第１リング部３１は、その軸方向を短手方向Ｌ２に一致させた状態で上述したグロメット収容部２２内に収容されている。第１リング部３１の外周面には、径方向の内側に向けて窪む周溝３３が全周に亘って延在しており、この周溝３３内にグロメット収容部２２の内周縁及び係止突起２３が収容されるようになっている。これにより、グロメット１０は、軸方向及び径方向の位置決めが行われた状態で板金２１に装着されている。
【００２６】
また、第１リング部３１は、周方向の一部が分断されて第１膜部材３２に連通する第１分断部３４を備えている。第１リング部３１の外周面のうち、第１分断部３４に対して周方向の両側には、周方向の両側から第１分断部３４に向かうに従い径方向の内側に向かって切り込まれたＶ字状の溝部３５が形成されている。溝部３５は、板金２１の位置決め溝２４に対して周方向の位置が同等になるように配置されている。すなわち、溝部３５は、板金２１に対するグロメット１０の周方向の位置合わせの機能を有しており、溝部３５がグロメット収容部２２の最下部に位置するようにグロメット１０が配置される。
【００２７】
第１膜部材３２は、第１リング部３１よりも薄肉に形成されるとともに、第１膜部材３２を間に挟んで第１リング部３１の軸方向に沿う一方側（ベースユニット１の内側）及び他方側（ベースユニット１の外側）を連通させるスリット３６を有している。このスリット３６は、十字状をなし、その一部が上述した第１分断部３４に接続されている。
【００２８】
図４はグロメット１０の拡大断面図である。
ここで、図４に示すように、第１膜部材３２のうち、第１リング部３１の軸方向に沿う一方側に位置する面（以下、裏面という）は、外周側から内周側に向かうに従い他方側に向けて傾斜する傾斜面３２ａとされている。本実施形態では、第１膜部材３２の裏面全体が、外周側から内周側に亘って傾斜している。したがって、第１膜部材３２は、全体として外周側から内周側に向かうに従い薄肉に形成されている。
【００２９】
図１に示すように、ベースユニット１の蓋部材１２は、平面視長方形状の天壁部４１、及び天壁部４１の外周縁から下方に向けて延設された周壁部４２を備えている。そして、蓋部材１２における周壁部４２が、ベース本体１１における周壁部１４に嵌め合わされた状態で、ベース本体１１と蓋部材１２とが組み付けられている。なお、蓋部材１２には、上述したベース本体１１と協働して板金２１を位置決めする図示しない保持部が形成されている。
【００３０】
周壁部４２のうち、長手方向Ｌ１に沿って延びる長手側壁４２ａには、下端縁から上方に向けて切り欠かれた半円状の切欠き部４３が長手方向Ｌ１に間隔をあけて複数形成されている。これら切欠き部４３は、上述したベース本体１１の切欠き部１６と長手方向Ｌ１に沿う位置が同等になるように形成されており、これら切欠き部１６，４３同士が上下方向Ｌ３に突き合わされることで、ベースユニット１の内外を連通させる円形の貫通孔４４を構成している。
【００３１】
そして、上述したグロメット１０は、各貫通孔４４を通して各別に外部に露出している。この場合、グロメット１０の第１リング部３１は、軸方向の他方側に位置する端面が貫通孔４４を取り囲むようにベースユニット１内面に当接するとともに、第１膜部材３２によって貫通孔４４がベースユニット１の内側から閉塞されている。これにより、グロメット１０が貫通孔４４に対して固定され、貫通孔４４を通じてベースユニット１内外の連通が遮断されている。
【００３２】
上述したベースユニット１に各種電子機器を接続するためには、図２に示すように、まず蓋部材１２を取り外した状態で、グロメット収容部２２内に収容されたグロメット１０を取り外す。そして、グロメット１０の溝部３５をケーブル４に向けた状態で、グロメット１０をケーブル４に向けて押し込むことで、第１分断部３４を通してケーブル４が第１膜部材３２のスリット３６内に案内される。
【００３３】
図５は図３に相当する断面図であり、ケーブル４にグロメット１０が装着された状態を示している。
このとき、図５に示すように、ケーブル４がスリット３６内に案内されると、第１膜部材３２が軸方向に撓み変形（弾性変形）することで、ケーブル４がスリット３６内に保持されるようになっている。
【００３４】
ここで、本実施形態の第１膜部材３２は、裏面が傾斜面３２ａとされているため、ケーブル４がスリット３６内に挿通された際、軸方向の一方側（ベースユニット１の内側）への撓み変形が規制されるようになっている。そのため、グロメット１０には、第１膜部材３２が外周側から中央部に向かうに従い軸方向の他方側（ベースユニット１に対して外側）に向けて撓み変形した状態で、ケーブル４が装着される。
【００３５】
その後、ケーブル４の先端に設けられたコネクタ（不図示）を、ベースユニット１側のコネクタ２に接続するとともに、グロメット１０をグロメット収容部２２内に収容する。このとき、グロメット１０の溝部３５と、板金２１の位置決め部２４と、の周方向の位置を合わせた状態で、グロメット１０をグロメット収容部２２内に収容する。
そして最後に、ベース本体１１に蓋部材１２を組み付け、電子機器の接続作業が終了する。
【００３６】
このように、本実施形態では、第１膜部材３２の裏面に外周側から内周側に向かうに従い軸方向の他方側（ベースユニット１に対して外側）に傾斜する傾斜面３２ａを有する構成とした。
この構成によれば、第１膜部材３２にケーブル４が挿通された場合に、第１膜部材３２における軸方向の一方側への弾性変形を規制し、第１膜部材３２を軸方向の他方側へ撓み変形させ易くすることができる。すなわち、グロメット１０をベースユニット１に組み付けたとき、第１膜部材３２がベースユニット１の外側へ倒れ込んだ状態になるので、第１膜部材３２とケーブル４との隙間を通ってベースユニット１内に塵埃や液体等が進入し難くなり、所望の防塵防水性能を発揮させることができる。
しかも、本実施形態のグロメット１０は、従来の膜付きグロメットのように、ケーブル４に第１膜部材３２を挿通させるのみで組み付けることができるので、組み付け時に大掛かりな作業を伴うことがない。
その結果、低コスト化及び簡素化を図った上で、要求に応じた所望の防塵防水性能を発揮させることができる。
【００３７】
また、本実施形態では、第１リング部３１が、その一部が分断された第１分断部３４を備えているため、例えばケーブル４の一端に電子機器が、他端にコネクタが既に取り付けられている場合等、ケーブル４を第１膜部材３２の軸方向に沿って挿通できない場合であっても、第１分断部３４を通してスリット３６内にケーブル４を案内することができる。これにより、組み付け性の更なる向上を図ることができる。
しかも、第１分断部３４がグロメット収容部２２の最下部に位置するようにグロメット１０を装着することで、第１分断部３４を通してケーブル４が抜けるのを抑制できる。
【００３８】
（第２実施形態）
次に、本発明の第２実施形態について説明する。図６は図３に相当する断面図であって、第２実施形態のグロメット１１０がケーブル４に組み付けられた状態を示している。図７はグロメット１１０の展開図である。本実施形態では、上述した第１リング部３１及び第１膜部材３２に加えて第２リング部１３１及び第２膜部材１３２を備えた、いわゆる二連式のグロメット１１０について説明する。なお、以下の説明では、上述した第１実施形態と同様の構成については同一の符号を付して説明を省略する。
図６、図７に示すように、本実施形態のグロメット１１０は、上述した第１リング部３１及び第１膜部材３２と、これら第１リング部３１及び第１膜部材３２に一体形成された第２リング部１３１及び第２膜部材１３２と、を備えている。
【００３９】
第２リング部１３１は、例えば第１リング部３１よりも軸方向の長さが短い円筒状とされ、橋梁部１０１を介して第１リング部３１に連結されている。また、第２リング部１３１は、周方向の一部が分断されて後述する第２膜部材１３２に連通する第２分断部１３４を備えている。この第２分断部１３４は、グロメット１１０がケーブル４に装着された状態において、第１リング部３１の第１分断部３４に対して周方向で異なる位置に形成されている。
【００４０】
第２リング部１３１には、第２リング部１３１の開口部を閉塞し、かつ弾性変形することでケーブル４が挿通可能な第２膜部材１３２が形成されている。第２膜部材１３２には、第２膜部材１３２を間に挟んで一方側及び他方側を連通させるスリット１３６が形成されている。このスリット１３６は、十字状をなし、その一部が上述した第２分断部１３４に接続されている。そして、第２膜部材１３２の裏面は、外周側から内周側に向かうに従い他方側に向けて傾斜する傾斜面１３２ａとされている。
【００４１】
このように形成されたグロメット１１０をケーブル４に装着する場合、まず上述した第１実施形態と同様の方法により第１膜部材３２のスリット３６内にケーブル４を挿通する。
次いで、橋梁部１０１を折り曲げて第２膜部材１３２のスリット１３６内にケーブル４を挿通する。具体的には、第２リング部１３１の第２分断部１３４をケーブル４に向けて押し込むことで、第２分断部１３４を通してケーブル４が第２膜部材１３２のスリット１３６内に案内される。このとき、第２膜部材１３２は、第１膜部材３２と同様に裏面が傾斜面１３２ａとされているため、ケーブル４がスリット１３６内に挿通された状態で、軸方向の一方側への撓み変形が規制されるようになっている。そのため、グロメット１１０には、第１膜部材３２及び第２膜部材１３２がそれぞれ外周側から中央部に従い軸方向の他方側に向けて撓み変形した状態で、ケーブル４が装着される。
【００４２】
そして、第１リング部３１と第２リング部１３１との軸方向に沿う端面同士を突き当てることで、第１リング部３１の軸方向に沿う両側が第１膜部材３２と第２膜部材１３２によりそれぞれ閉塞されることになる。
その後、上述した第１実施形態と同様に、板金２１を介してベースユニット１にグロメット１１０を固定する。
【００４３】
このように、本実施形態によれば、上述した第１実施形態と同様の作用効果を奏するとともに、二連式のグロメット１１０を採用することで、ケーブル４と膜部材３２，１３２の隙間から塵埃や液体が進入するのを確実に抑制できる。なお、上述した実施形態では、第２膜部材１３２のスリット１３６を第１膜部材３２と同形状（十字状）に形成した場合について説明したが、これに限らず、図８に示すように、円形状の孔１３７としても構わない。この場合、孔１３７の内径は、膜部材１３２の弾性変形で吸収できる程度にケーブル４の直径よりも小さくすることが好ましい。これにより、ケーブル４と膜部材１３２との隙間をより小さくできるので、防塵防水効果を高めることができる。
【００４４】
さらに、グロメット１１０がケーブル４に装着された状態において、第１分断部３４及び第２分断部１３４の周方向に沿う位置が、第１リング部３１及び第２リング部１３１間で異なるように形成されているため、ケーブル４が各分断部３４，１３４を通ってグロメット１１０から抜けるのを抑制できる。
【００４５】
以上、本発明の実施形態について図面を参照して詳述したが、具体的な構成は上述した実施形態に限られるものではなく、本発明の要旨を逸脱しない範囲の設計変更等も含まれる。
例えば、上述した実施形態では、ケーブル４が装着されるグロメット１０を、板金２１を介してベースユニット１の貫通孔４４に固定する場合について説明したが、これに限らず、グロメット１０の第１リング部３１を貫通孔４４内に直接固定しても構わない。
また、上述した第２実施形態では、第１リング部３１のみが板金２１に保持される構成について説明しているが、これに限らず、両リング部３１，１３１がそれぞれ異なる板金に装着される構成であっても構わない。
【００４６】
さらに、上述した実施形態では、第１電子機器としてタクシー等に搭載されるベースユニット１を例にして説明したが、これに限らず、種々の電子機器に対して本発明を採用することができる。
【００４７】
また、上述した実施形態では、第１膜部材３２の裏面全体を傾斜面３２ａに形成した場合について説明したが、これに限らず、裏面の少なくとも一部が傾斜面に形成されていれば構わない。
例えば、図９に示すグロメット２１０のように、第１膜部材２３２の裏面において、外周部（第１リング部３１との接続部分）のみに傾斜面２３２ａを形成しても構わない。なお、図示の例では、傾斜面２３２ａが他方側に突の曲面状に形成されているが、外周側から内周側に向かうに従い他方側に向けて漸次傾斜する直線状に形成しても構わない。
この場合には、第１膜部材２３２と第１リング部３１との接続部分、すなわち第１膜部材２３２の根元部分に傾斜面２３２ａが位置しているため、第１膜部材２３２における第１リング部３１の軸方向の他方側への弾性変形を確実に規制することができる。
また、第１膜部材３２の裏面に周方向に間隔をあけて（例えば、放射状）傾斜面を形成しても構わない。
【００４８】
また、図１０に示すグロメット３１０のように、裏面に加え、第１膜部材３３２のうち、他方側に位置する面（表面）も外周側から内周側に従い他方側に向けて傾斜する傾斜面３３２ｂに形成しても構わない。
この場合には、第１膜部材３３２全体が軸方向の他方側に向けて傾斜するため、第１膜部材３３２における第１リング部３１の軸方向の他方側への弾性変形を確実に規制することができる。
【００４９】
また、上述した実施形態では、第２膜部材１３２の裏面も第１膜部材３２と同様に傾斜面を有している場合について説明したが、少なくとも第１膜部材３２の裏面のみに傾斜面が形成されていれば構わない。
【００５０】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００５１】
１…ベースユニット（第１電子機器）  ４…ケーブル  １０，１１０，２１０，３１０…グロメット  ３１…第１リング部  ３２…第１膜部材  ３２ａ，１３２ａ，２３２ａ，３３２ｂ…傾斜面  ３４…第１分断部  ４４…貫通孔  １３１…第２リング部  １３２…第２膜部材  １３４…第２分断部
【図１】
2014143889.tif 000003
【図２】
2014143889.tif 000004
【図３】
2014143889.tif 000005
【図４】
2014143889.tif 000006
【図５】
2014143889.tif 000007
【図６】
2014143889.tif 000008
【図７】
2014143889.tif 000009
【図８】
2014143889.tif 000010
【図９】
2014143889.tif 000011
【図１０】
2014143889.tif 000012